(57)【特許請求の範囲】
【請求項１】
同軸に設置されたウーファーとツィーターとを含む同軸スピーカーであって、
前記ウーファーは、Ｔ型ポールピース、振動板および前記振動板に接続されたボイスコイルを含み、前記同軸スピーカーは、さらに、前記Ｔ型ポールピースに固設された台座を含み、前記台座の下部は、前記ボイスコイルを貫通し、前記台座の頂端部は前記振動板の上方に位置し、前記ツィーターは前記台座の頂端部に設置され、
前記同軸スピーカーは、さらに、前記台座の頂端部に接続された上縁および前記ボイスコイルの上部に接続された下縁を有する防塵リングを含み、
前記台座の頂端部はジョイント部材を介して前記Ｔ型ポールピースに固設され、また、前記ジョイント部材の上端部は前記ツィーターに固定して接続され、前記防塵リングは前記ジョイント部材および前記台座の下部の外側を取り囲むように設置され、
前記防塵リングの垂直方向に沿う断面は、互いに接する、前記ジョイント部材に近接する方向に沿って内へ突出する第１円弧形である第１屈曲部と、前記ジョイント部材から離間する方向に沿って外へ突出する第２円弧形である第２屈曲部とを含む、
ことを特徴とする同軸スピーカー。
【請求項２】
前記防塵リングの水平面における正投影は前記台座の水平面における正投影より大きくなく、前記台座の前記正投影により被覆される、
ことを特徴とする請求項１に記載の同軸スピーカー。
【請求項３】
前記ジョイント部材は垂直方向に沿って延伸する、
ことを特徴とする請求項１に記載の同軸スピーカー。
【請求項４】
前記第１円弧形と前記第２円弧形はそれぞれ半円弧である、
ことを特徴とする請求項１に記載の同軸スピーカー。
【請求項５】
前記第１屈曲部は第２屈曲部の上方又は下方に位置する、
ことを特徴とする請求項１に記載の同軸スピーカー。
【請求項６】
前記ジョイント部材はボルトである、
ことを特徴とする請求項１に記載の同軸スピーカー。
【請求項７】
前記振動板の中央部には取付孔が開設され、前記ボイスコイルは前記取付孔を貫通して設置され、前記取付孔の孔壁に固定して接続され、前記ジョイント部材はボイスコイルを貫通して設置されている、
ことを特徴とする請求項１に記載の同軸スピーカー。
【請求項８】
前記防塵リングの材料はゴムであり、それぞれ前記台座の頂端部、前記ボイスコイルに接着されている、
ことを特徴とする請求項１に記載の同軸スピーカー。
【発明の詳細な説明】
【技術分野】
【０００１】
本発明はスピーカー分野に関し、具体的には同軸スピーカーに関する。
【背景技術】
【０００２】
同軸スピーカーは、同一軸心に中低音スピーカーを有する以外に、高音スピーカーを有し、それぞれ高音と中低音を再生する。その利点は、スピーカー単体の帯域幅を大幅に向上させ、自動車の音響に幅広く応用されていることである。
【０００３】
一般的に、同軸スピーカーにおいて、ツィーター（tweeter）はブラケットによりウーファー（woofer）のボイスコイルを通してウーファーのＴ型ポールピースに取り付けられるが、このような構造のためウーファーには防塵カバーを取り付けることができず、水と不純物などはボイスコイル内部を介して磁気回路システムに侵入し、スピーカーユニットの使用寿命を大幅に短縮させてしまう。特に、自動車のような使用環境において、同軸スピーカーに対する防水密封の要求がさらに高い。
【先行技術文献】
【特許文献】
【０００４】
本出願は２０１８年５月２８日に提出した出願番号ＣＮ  ２０１８２０８０５６１８．９の中国特許出願の優先権を主張し、そのすべての内容は引用する形態により本発明に組み入れる。
【発明の概要】
【発明が解決しようとする課題】
【０００５】
上記課題に対し、本発明は優れた防塵防水機能を有する同軸スピーカーを提供することを目的とする。
【課題を解決するための手段】
【０００６】
上記目的を達成するために、本発明は同軸に設置されたウーファーとツィーターとを含む同軸スピーカーであって、前記ウーファーは、Ｔ型ポールピース、振動板および前記振動板に接続されたボイスコイルを含み、前記同軸スピーカーは、さらに、前記Ｔ型ポールピースに固設された台座を含み、前記台座の下部は、前記ボイスコイルを貫通し、前記台座の頂端部は前記振動板の上方に位置し、前記ツィーターは前記台座の頂端部に設置され、前記同軸スピーカーは、さらに、前記台座の頂端部に接続された上縁および前記ボイスコイルの上部に接続された下縁を有する防塵リングを含み、前記台座の頂端部はジョイント部材を介して前記Ｔ型ポールピースに固設され、また、前記ジョイント部材の上端部は前記ツィーターに固定して接続され、前記防塵リングは前記ジョイント部材および前記台座の下部の外側を取り囲むように設置され、前記防塵リングの垂直方向に沿う断面は、互いに接する、前記ジョイント部材に近接する方向に沿って内へ突出する第１円弧形である第１屈曲部と、前記ジョイント部材から離間する方向に沿って外へ突出する第２円弧形である第２屈曲部とを含む。
【０００７】
一実施例において、前記防塵リングの水平面における正投影は前記台座の水平面における正投影より大きくなく、前記台座の前記正投影により被覆される。
【０００８】
一実施例において、前記台座はジョイント部材を介して前記Ｔ型ポールピースに固設され、前記ジョイント部材の上端部はツィーターに固定して接続され、前記防塵リングは前記ジョイント部材および前記台座の下部の外側を取り囲むように設置されている。
【０００９】
一実施例において、前記ジョイント部材は垂直方向に沿って延伸する。
【００１０】
一実施例において、前記防塵リングの垂直方向に沿う断面は複数の屈曲部を有する。
【００１１】
一実施例において、前記複数の屈曲部は、互いに接するように上下に設置された、前記ジョイント部材に近接する方向に沿って内へ突出する第１円弧形である第１屈曲部と、前記ジョイント部材から離間する方向に沿って外へ突出する第２円弧形である第２屈曲部と、を含む。
前記第１屈曲部は前記第２屈曲部の上方又は下方に位置する。
【００１２】
一実施例において、前記第１円弧形と前記第２円弧形はそれぞれ半円弧である。
【００１３】
一実施例において、前記ジョイント部材はボルトである。
【００１４】
一実施例において、前記振動板の中央部には取付孔が開設され、前記ボイスコイルは前記取付孔を貫通して設置され、前記取付孔の孔壁に固定して接続され、前記ジョイント部材はボイスコイルを貫通して設置されている。
【００１５】
一実施例において、前記防塵リングの材料はゴムであり、それぞれ前記台座の頂端部、前記ボイスコイルに接着されている。
【発明の効果】
【００１６】
本発明は以上の解決手段を採用し、従来の技術に比べて以下のような利点を有する。
【００１７】
該同軸スピーカーのウーファーのボイスコイルと台座の頂端部との間に防塵リングが取り付けられた後、水と不純物などはボイスコイルを介して磁気回路に侵入することができず、密封効果に優れ、防水と防塵機能が大幅に向上される。
【図面の簡単な説明】
【００１８】
本発明の技術的解決手段をより明瞭に説明するために、以下に実施例の説明に必要とされる図面を簡単に説明する。以下の説明における図面は本発明の一部の実施例に過ぎず、当業者であれば、創造的な労働をしない前提で、これらの図面に基づいてさらに他の図面を取得することができることが明らかである。
【図１】本発明にかかる同軸スピーカーの平面図である。
【図２】図１におけるＡ−Ａ方向の断面図である。
【図３】図２における防塵リングの拡大図である。
【発明を実施するための形態】
【００１９】
以下に、本発明の利点と特徴が当業者により容易に理解されるように、図面に合わせて、本発明の好ましい実施例を詳細に説明する。なお、これらの実施形態に対する説明は本発明の理解に役立つようにするためのものであり、本発明を限定するためのものではない。また、以下に記載の本発明の各実施形態に係わる技術的特徴は互いに抵触しない限り、互いに組み合わせることができる。
【００２０】
図１〜３は本発明にかかる同軸スピーカーを示す。図１に示すように、同軸スピーカーは、同軸に設置されたウーファー１とツィーター２を含む。ウーファー１は、具体的に、上から下への順に固定して接続されたフレーム１１、前プレート１５、マグネット１６およびＴ型ポールピース１４を含み、前プレート１５とマグネット１６とがＴ型ポールピース１４を取り囲むように設置され、Ｔ型ポールピース１４との間に磁気ギャップを構成し、フレーム１１にはさらに振動板１２が固設され、図１における振動板１２は具体的にコーン紙であり、振動板１２にはボイスコイル１３が固設され、ボイスコイル１３の下部は前記磁気ギャップに挿入されている。具体的に本実施例において、振動板１２の中央部には取付孔が開設され、ボイスコイル１３は取付孔を貫通して設置され、取付孔の孔壁に固定して接続され、ボイスコイル１３の上端部は振動板１２まで延伸される。
【００２１】
該同軸スピーカーは、さらにＴ型ポールピース１４に固設された台座３を含む。具体的に、台座３の下部３２はボイスコイル１３を貫通してＴ型ポールピース１４と接し、台座３の頂端部３１は振動板１２の上方に位置する。前記ツィーター２は台座３の頂端部３１に設置されている。さらに、台座３はジョイント部材を介してＴ型ポールピース１４に固設され、ジョイント部材は垂直方向に沿って延伸される。本実施例におけるジョイント部材は、具体的には、垂直方向に沿って延伸するボルト４であり、ボルト４は上から下への順に前記Ｔ型ポールピース１４、前記台座３の下部３２を貫通した後、その上端部は前記ツィーター２に固定して接続され、つまり、ボルト４を介してウーファー１、台座３およびツィーター２三者を締め付けるように接続している。
【００２２】
該同軸スピーカーは、さらに、台座３の頂端部３１に接続された上縁およびボイスコイル１３の上部に接続された下縁を有する防塵リング５を含む。防塵リング５の材料は具体的にはゴムであり、その上縁は台座３の頂端部３１の底面に接着され、下縁はボイスコイル１３の上端部に接着され、防塵リング５は前記台座３の下部３２およびボルト４の外側を取り囲むように設置され、つまり、防塵リング５は環形であり、台座３の下部３２とボルト４とを中に密封する。
【００２３】
なお、防塵リング５の水平面における正投影は前記台座３の水平面における正投影より大きくなく、前記台座３の正投影により被覆されている。図１に示すように、上方から該同軸スピーカーを俯瞰する場合、防塵リング５はツィーター２および台座３の頂端部３１により完全に遮蔽され観察できない。また、前記防塵リング５の垂直方向に沿う断面は複数の屈曲部を有する。図３に示すように、具体的に本実施例において、複数の屈曲部は具体的に互いに接するように上下に設置された、ボルト４に近接する方向に沿って内へ突出する第１円弧形である第１屈曲部５１と、ボルト４から離間する方向に沿って外へ突出する第２円弧形である第２屈曲部５２と、を含む。第１円弧形と第２円弧形の中心角はそれぞれ１８０°以下であり、好ましくは半円弧である。
【００２４】
該同軸スピーカーは以下のような利点を有する。同軸スピーカーのウーファー１のボイスコイル１３の外側に防塵リング５が取り付けられた後、水と不純物などはボイスコイル１３を介して磁気回路に侵入することができず、密封防水機能が大幅に向上される。防塵リング５は、コーン紙の振動方向（即ち、図２に示す垂直方向）における投影面積が小さく、スピーカーの周波数応答およびひずみ性能に対する影響が小さい。２つの半円弧（第１屈曲部５１、第２屈曲部５２）により構成された断面形状の設計を採用することにより、防塵リング５がコーン紙と共に上下運動する過程において、衝突しないようにし、異音の発生を回避する。
【００２５】
上記実施例は本発明の技術的構想および特徴を説明するためのものに過ぎず、好ましい実施例であり、当業者に本発明の内容を理解させるとともにそれに基づいて実施させることを目的とし、本発明の保護範囲を限定するためのものではない。
【符号の説明】
【００２６】
１  ウーファー、
１１  フレーム、
１２  振動板、
１３  ボイスコイル、
１４  Ｔ型ポールピース、
１５  前プレート、
１６  マグネット、
２  ツィーター、
３  台座、
３１  頂端部、
３２  下部、
４  ボルト、
５  防塵リング、
５１  第１屈曲部、
５２  第２屈曲部
【図１】
0006874138.tif 000002
【図２】
0006874138.tif 000003
【図３】
0006874138.tif 000004